(57)【要約】      （修正有）【課題】植物についた害虫を化学農薬や複雑な制御装置を使用せず、炭酸ガスを全量注入することで簡単に殺虫することができる害虫殺虫用装置と殺虫方法を提供する。【解決手段】炭酸ガスを透過しない素材で作られた袋や容器からなり、内部ガス循環用ファン４を有し、炭酸ガス注入部６を設定した害虫殺虫バッグ１を使用し、炭酸ガスボンベや炭酸ガスミニガスカートリッジ１０の炭酸ガスを全量注入し、内部ガス循環用ファン４を用いて炭酸ガス濃度を均一化し、所定炭酸ガス濃度範囲内かつ所定温度範囲内に保ったまま所定時間で殺虫する害虫殺虫方法。【選択図】図１
2015198630.tif 000002
【特許請求の範囲】
【請求項１】
気密ファスナーや気密可能な開閉扉により密閉でき苗箱等の殺虫対象物の出し入れと設置が可能な構造で、内部ガス循環用ファンを有し、炭酸ガスを透過しない素材で作られた袋や容器からなり、天井の端や側面上部に空気抜き用開閉口を設置し、その対角線上の下部の位置に炭酸ガス注入部を設定し、密閉時には内部と外部のガスの交換が少ないことを特徴とする害虫殺虫用設備。
【請求項２】
袋や容器の素材として炭酸ガスを透過しないガスバリアーシートや塗料、金属、コンクリートを単独もしくは組み合わせで使用することを特徴とする請求項１に記載の害虫殺虫用設備。
【請求項３】
炭酸ガス注入のため、炭酸ガスボンベや炭酸ガスミニガスカートリッジを１つから複数組み合わせて袋や容器内に設置する場合、炭酸ガスボンベは集合させて圧力調整器に接続、炭酸ガスミニガスカートリッジは個別に圧力調整器に接続し、その後集合させ、ニードルバルブ付き流量計に接続し、ニードルバルブのガス出口配管に電磁弁を接続し、電磁弁からのガス出口配管口を炭酸ガス注入部に設置、袋や容器の外に設置する場合、炭酸ガスボンベは集合させて圧力調整器に接続し、炭酸ガスミニガスカートリッジは個別に圧力調整器に接続し、その後集合させ、ニードルバルブ付き流量計に接続し、ニードルバルブのガス出口配管を炭酸ガス注入部に設置することを特徴とする請求項１〜２のいずれかに記載の害虫殺虫用設備。
【請求項４】
袋や容器の設備内部または外部に温度調整器を設置し、環境温度を調整できるようにすることを特徴とする請求項１〜３のいずれかに記載の害虫殺虫用設備。
【請求項５】
害虫殺虫時は、袋や容器の内部温度を所定温度範囲内となるよう設定し、内部に殺虫対象物を置き密閉し、袋や容器の容積と中に入れた殺虫対象物等の容積から、実際の空間部分の容積を計算し、必要な炭酸ガス濃度となる炭酸ガス量を計算した上で、炭酸ガスボンベや炭酸ガスミニガスカートリッジを１つから複数組み合わせて、圧力調整器で減圧し、炭酸ガスボンベや炭酸ガスミニガスカートリッジ内部の炭酸ガス圧が減圧しないよう流量計のニードルバルブで流量を調整して、炭酸ガス注入部から全量注入し、炭酸ガスを下部に溜めて、空気を上部にある空気抜き用開閉口より排出後、空気抜き用開閉口を閉め、内部ガス循環用ファンを用いて炭酸ガス濃度を均一化、所定炭酸ガス濃度範囲内かつ所定温度範囲内を保ったまま所定時間で殺虫することを特徴とする請求項１〜４のいずれかに記載の害虫殺虫用設備を使用した害虫殺虫方法。
【発明の詳細な説明】
【技術分野】
【０００１】  本発明は、イチゴ等の植物についた害虫を炭酸ガスにより殺虫するのに好適な害虫殺虫用設備と殺虫方法に関する。
【背景技術】
【０００２】  ハウス等の本圃施設内へ害虫のいない植物苗を定植することは本圃での減化学農薬のために重要な手段と考えられ、現在は化学農薬を使用して殺虫を行う方法が、また、化学農薬に替わる植物苗の害虫殺虫方法として所定温度に調整した飽和水蒸気流を植物苗の上側を水平に流動するように生成させ、飽和水蒸気流中に植物苗が熱障害を受けない範囲内の時間だけ曝しておく方法が提案されている。（例えば、特許文献１参照。）
【先行技術文献】
【特許文献】
【０００３】
【特許文献１】特開２０１１−２１２０１２号公報
【発明の概要】
【発明が解決しようとする課題】
【０００４】  しかしながら、化学農薬を使用する方法は葉の裏面への効果的な化学農薬の散布が難しく、薬剤耐性のついた害虫が発生しやすく殺虫が困難となっており、また特許文献１の植物苗の害虫殺虫方法では使用する飽和水蒸気流の生成手段として、ファン・ヒーターユニットと加湿ノズルと温湿度センサーを用い、それらの検出情報と設定時間に基づいてイチゴ苗を飽和水蒸気に曝す温度と湿度を制御する必要があり、複雑な制御装置が必要となるといった問題点があった。【０００５】  本発明は上記の実情に鑑みてなされたものであり、その目的は植物についた薬剤耐性のついた害虫を化学農薬や複雑な制御装置を使用せず、使用する炭酸ガスボンベや炭酸ガスミニカートリッジの炭酸ガスを全量注入することで、注入量の調整をすることなく簡単に殺虫することができる害虫殺虫用装置と殺虫方法を提供することにある。
【課題を解決するための手段】
【０００６】  上記課題を解決するため本発明の害虫殺虫用装置は、気密ファスナーや気密可能な開閉扉により密閉でき苗箱等の殺虫対象物の出し入れと設置が可能な構造で、内部ガス循環用ファンを有し、炭酸ガスを透過しない素材で作られた袋や容器からなり、密閉時には内部と外部のガスの交換が少ない害虫殺虫用設備とし、天井の端や側面上部に空気抜き用開閉口を設置し、その対角線上の下部の位置に炭酸ガス注入部を設定する。炭酸ガス注入のため、炭酸ガスボンベや炭酸ガスミニガスカートリッジを１つから複数組み合わせて袋や容器内に設置する場合、炭酸ガスボンベは集合させて圧力調整器に接続、炭酸ガスミニガスカートリッジは個別に圧力調整器に接続し、その後集合させ、ニードルバルブ付き流量計に接続し、ニードルバルブのガス出口配管に電磁弁を接続し、電磁弁からのガス出口配管口を炭酸ガス注入部に設置、袋や容器の外に設置する場合、炭酸ガスボンベは集合させて圧力調整器に接続し、炭酸ガスミニガスカートリッジは個別に圧力調整器に接続し、その後集合させ、ニードルバルブ付き流量計に接続し、ニードルバルブのガス出口配管を炭酸ガス注入部に設置する。また、設備内部または外部に温度調整器を設置し、環境温度を調整できるようにする。【０００７】  害虫殺虫時は、袋や容器の内部温度を所定温度範囲内となるよう設定し、内部に殺虫対象物を置き密閉し、袋や容器の容積と中に入れた殺虫対象物等の容積から、実際の空間部分の容積を計算し、必要な炭酸ガス濃度となる炭酸ガス量を計算した上で、炭酸ガスボンベや炭酸ガスミニガスカートリッジを１つから複数組み合わせて、圧力調整器で減圧し、炭酸ガスボンベや炭酸ガスミニガスカートリッジ内部の炭酸ガス圧が減圧しないよう流量計のニードルバルブで流量を調整して、炭酸ガス注入部から全量注入し、炭酸ガスを下部に溜めて、空気を上部にある空気抜き用開閉口より排出後、空気抜き用開閉口を閉め、内部ガス循環用ファンを用いて炭酸ガス濃度を均一化、所定炭酸ガス濃度範囲内かつ所定温度範囲内を保ったまま所定時間で殺虫する。【０００８】  また、１００ｍｌ未満の炭酸ガスミニカートリッジを使用する場合、容器は高圧ガス保安法の適用を受けずに使用することができる。
【発明の効果】
【０００９】  本発明に係る害虫殺虫用設備によれば、薬剤耐性のついた害虫を化学農薬や複雑な制御装置を使用せず、炭酸ガスボンベや炭酸ガスミニガスカートリッジ内の炭酸ガスを全量注入することで、注入量の調整をすることなく、袋や容器内を所定の炭酸ガス濃度範囲内とし、簡単に殺虫することができる。
【図面の簡単な説明】
【００１０】
【図１】炭酸ガスミニガスカートリッジを内部に設置した害虫殺虫バッグ設備正面図
【図２】炭酸ガスミニガスカートリッジを外部に設置した害虫殺虫バッグ設備正面図
【発明を実施するための形態】
【００１１】  以下、本発明の形態を図１と図２に基づいて説明するが、本発明はこれによって何ら限定されるものではない。
【００１２】  図１は気密ファスナーを使用した害虫殺虫バッグ設備と内部に設置した内部循環用ファンと炭酸ガスミニカートリッジと植物苗箱を図示したものである。害虫殺虫バッグ１設備の内部の骨組みは樹脂製やステンレス等の金属製の組立パイプとジョイントで作成する。害虫殺虫バッグ１は、天井部分に１辺を除く３方に片方の端部分を始点とし、もう一方の端部分を終点とする気密ファスナー２がついており、開口時に苗箱３等の殺虫対象物を搬入することができる。害虫殺虫バッグ１の袋部分は熱溶着や高周波溶着を行うためのポリオレフィン系樹脂やポリ塩化ビニール等からなるフィルム層とアルミ蒸着したポリエステルやエチレン−ビニルアルコール共重合体等からなるガスバリアフィルム層とを多層に積層したガスバリアーシートを溶着して作成し、気密ファスナー２の取付けはファスナーの樹脂製テープ部分と害虫殺虫バッグ１を溶着して行う。気密ファスナー２の形状と材質は気密性を保てるものであれば特に制限はないが嵌合強度や密閉性に優れるテープにエレメントがついてスライダーで開閉するタイプの止ファスナーで、錆びない合成樹脂製のものが好ましい。内部循環用ファン４は苗の邪魔とならないところに設置し、内部ガス循環用ファン４を稼働させた時に十分にガスが循環するようになっている。また、空気抜き用開閉口５を側面上部に設置し、その対角線上で下部となる位置に炭酸ガス注入部６を設定する。害虫殺虫バッグ１の内部温度を所定温度範囲内となるようヒーターやエアコンで、設置する部屋等の温度を調整し、害虫殺虫バッグ１の気密ファスナー２を開き、苗箱３を搬入した後、ニードルバルブ付き流量計７のガス出口配管に電磁弁８を接続し、電磁弁８からのガス出口配管口を炭酸ガス注入部６に設置し、ニードルバルブ付き流量計７及び圧力調整器９を付けた炭酸ガスミニカートリッジ１０を苗箱３の横に設置する。電磁弁８の配線１１と内部ガス循環用ファン４の配線１２は害虫殺虫バッグ１の横面に穴を開けて通し、パテで密閉する。また、ニードルバルブ付き流量計７は殺虫バッグ１に設置する前に他の炭酸ガスミニカートリッジを使用して炭酸ガスを流してバルブを調整し、流出流量を調整しておく。
【００１３】  殺虫する時は、温度調整器で環境温度を所定温度範囲内となるよう温度調整し、害虫殺虫バッグ１の気密ファスナー２を開き、苗箱３を置き、その上に内部循環用ファン４を設置する。
【００１４】  炭酸ガスを注入させる方法は、気密ファスナー２を閉じ、空気抜き用開閉口５を開け、電磁弁８を開け、炭酸ガスを下部に溜めて、空気を上部にある空気抜き用開閉口５から排出させる。炭酸ガスミニカートリッジ１０のガスが全て流出したら、空気抜き用開閉口５を閉じ、内部ガス循環用ファン４を稼働させ、内部の炭酸ガスを均一化させる。９８ｍｌの小型炭酸ガスボンベ１本を使用した場合、流出する炭酸ガス量は、２５℃で３３Ｌ〜４１Ｌであり、例えば高さ１００ｍｍ幅３５８ｍｍ奥行５００ｍｍの苗箱３の容積は約１７．９Ｌであり、高さ３５０ｍｍ幅４５０ｍｍ奥行５５０ｍｍの害虫殺虫バッグ１を使用すると、その内部容積は約８６．６Ｌであり、苗箱分の除いた実際の内部容積が６８．７Ｌとなるから、炭酸ガス濃度は約４８％〜６０％となる。たとえばイチゴ苗を殺虫する場合の炭酸ガス濃度範囲は４０％〜６０％、温度２５℃〜３０℃であり、本条件では２５℃条件では９８ｍｌ炭酸ガスミニカートリッジ１本で殺虫することができる。また、害虫殺虫バッグ１の容積と中に入れる殺虫対象物の容積から、実際の空間部分の容積を計算し、必要な炭酸ガス濃度を計算した上で、例えば炭酸ガスミニカートリッジを使用する場合、１０ｍｌ、１５ｍｌ、６０ｍｌ、９８ｍｌと種々ある容器を組み合わせて使用することにより、特定範囲内の炭酸ガス濃度を得ることができる。所定時間放置した後は、部屋等の換気を十分に行いながら気密ファスナー２を開いて、中のガスを外気と入れ替えた後、苗箱３を取り出し、そのまま定植することができる。
【００１５】  図２は気密ファスナーを使用した害虫殺虫バッグ設備と内部に設置された内部循環用ファンと植物苗箱と外部に設置された炭酸ガスミニカートリッジとを図示したものである。図１と異なり、外部にニードルバルブ付き流量計７付き圧力調整器９を付けた炭酸ガスミニカートリッジ１０を設置してあるため、電磁弁８を使用せず手動で炭酸ガスを流すことができる。
【符号の説明】
【００１６】  １    害虫殺虫バッグ
２    気密ファスナー
３    苗箱
４    内部循環用ファン
５    空気抜き用開閉口
６    炭酸ガス注入部
７    ニードルバルブ付き流量計
８    電磁弁
９    圧力調整器
１０  炭酸ガスミニカートリッジ
１１  電磁弁の配線
１２  内部ガス循環用ファンの配線
【図１】
2015198630.tif 000003
【図２】
2015198630.tif 000004